(57)【特許請求の範囲】
【請求項１】
少なくとも１つのアンテナ構成（２）を備える、無線通信システムにおけるノード（１）であって、当該アンテナ構成（２）は、少なくとも第１のアンテナ部（３）と第２のアンテナ部（４）とを備え、各アンテナ部（３，４，５）は長手方向の延伸部を有し、当該延伸部に沿って対応するコラム軸（６，７，８）が延伸し、当該コラム軸（６，７，８）は各アンテナ部（３，４，５）を２つの長手方向のサブ部分に分割し、各アンテナ部（３，４，５）は、前記コラム軸（６，７，８）に沿って分配される少なくとも３つのアンテナ要素（９，１０，１１，１２，１３，１４）をさらに備え、対応するアンテナポート構成（１５，１６，１７）に接続され、
各アンテナ部（３，４，５）について、前記アンテナ要素の少なくとも１つ（１０，１２，１４）は前記コラム軸（６，７，８）上に位置し、前記アンテナ要素の少なくとも１つ（９，１１，１３）は前記コラム軸（６，７，８）から離れて位置し、これにより、各アンテナ部（３，４，５）のアンテナ要素（９，１０，１１，１２，１３，１４）は前記コラム軸（６，７，８）に直交する方向においても分配され、前記第１のアンテナ部の少なくとも第１及び第２のアンテナ要素（９，１１，１３）は前記コラム軸（６，７，８）からそれぞれ要素に固有の第１の距離及び第２の距離だけ離れて位置し、前記第１の距離及び前記第２の距離は異なり、
前記コラム軸上に位置する前記アンテナ要素の前記少なくとも１つ及び前記コラム軸から離れて位置する前記アンテナ要素の前記少なくとも１つによって、前記コラム軸に対応する放射パターンが形成される、
ことを特徴とする、ノード（１）。
【請求項２】
前記アンテナ要素（９，１０，１１，１２，１３，１４）はデュアル偏波されることを特徴とする、請求項１に記載のノード。
【請求項３】
各アンテナ部（３，４，５；３’，４’，５’；３’’，４’’，５’’）は、同じ数のアンテナ要素を備えることを特徴とする、請求項１又は請求項２に記載のノード。
【請求項４】
１つおきのアンテナ要素（１０，１２，１４）は、前記コラム軸（６，７，８）上に位置し、他方の１つおきのアンテナ要素（９，１１，１３）は、前記コラム軸（６，７，８）から離れて位置することを特徴とする、請求項１〜３のいずれか１項に記載のノード。
【請求項５】
前記アンテナ要素は、各コラム軸（６，７，８；６’，７’，８’）に沿って等距離に位置することを特徴とする、請求項１〜４のいずれか１項に記載のノード。
【請求項６】
アンテナ部ごとのアンテナ要素の数は等しいことを特徴とする、請求項１〜５のいずれか１項に記載のノード。
【請求項７】
前記アンテナ構成が２つよりも多いアンテナ部を備える場合、前記コラム軸に直交する方向における隣接するアンテナ部間の距離は等しいことを特徴とする、請求項１〜６のいずれか１項に記載のノード。
【発明の詳細な説明】
【技術分野】
【０００１】
本発明は、少なくとも１つのアンテナ構成を有する、無線通信システムにおけるノードに関する。アンテナ構成は、少なくとも第１のアンテナ部と第２のアンテナ部とを備え、各アンテナ部は、長手方向の延伸部（extension）を有し、当該延伸部に沿って対応するコラム軸が延伸する。コラム軸は、各アンテナ部を２つの長手方向のサブ部分に分割し、各アンテナ部は、上記コラム軸に沿って分配され、対応するアンテナポート構成に接続される少なくとも３つのアンテナ要素をさらに備える。
【背景技術】
【０００２】
平面アレイアンテナは、セルラ無線通信システムにおいて、特に、ＬＴＥ（Long  Term  Evolution）などのマルチストリーム無線アクセスをサポートする標準に基づくシステムと組み合わせて、益々用いられている。このような平面アレイアンテナは、概して放射要素の複数の平行なコラムを用いて構成される。各コラムは、接続ポイント、即ち「ポート（port）」を有し、コラムにおける全ての放射要素が当該ポートに接続され、信号はダウンリンク上でそれぞれのポートを介して放射要素に供給される。
【０００３】
ＬＴＥにおいて用いられるような、プリコーディングを用いるＭＩＭＯ（Multiple  Input  Multiple  Output）に基づくシステムによれば、１つより多くのポート、及びそれ故にコラムは、所与の送信信号、及び特にアンテナによってサービスされる全エリアに向けられることを意図されず要求もされない信号と関連付けられ得る。複数のコラムに関連付けられる信号についての結果として得られる放射パターンは、当該コラムのパターン特性及び平面アレイのアレイファクタの双方によって決まり、アレイファクタは、アレイジオメトリ、及びコラム励起（column  excitations）、即ち符号重みによって決まる。
【０００４】
セクタ化された、非ＭＩＭＯシステムにおいて、セクタアンテナのビーム幅、特に、セクタごとに個別のコラムを有する実質的に垂直にインストールされる直線アレイについての水平な電力半値ビーム幅（half-power  beamwidth）は、システムのパフォーマンスに影響を与えるであろう。なぜなら、干渉状況は放射パターン特性と強く関連するためである。最も一般的なマクロ基地局コンフィグレーションは、３セクタサイト、即ち、３つの別個のセル又はセクタを有し、各セルが特定のアンテナに関連付けられる。好適には、セルを定義する放射パターンの水平な電力半値ビーム幅、即ちセクタアンテナ放射パターンは、干渉が制限されるシナリオにおける最適化されたパフォーマンスのために約６５度であるべきである。
【０００５】
同様の状況は、ビーム形成を用いるシステムにおいて存在する。これは、特にセクタ境界に近接するユーザについて、異なる平面アレイアンテナコラムからの、プリコーディングによって生成される信号のコヒーレント加算の作用である。干渉状況は、セクタ境界に近接するユーザについての平面アレイのコラムの電力半値ビーム幅に強く依存する。これは、格子ローブの問題を回避するために０．５波長分のコラム分離を有する従来の平面アレイに特に関連する。
【０００６】
従来の平面アレイアンテナ、即ち、対応するコラムに関連付けられるポートに給電する場合における各個別のコラムからの放射パターンの電力半値ビーム幅は、典型的には６５度よりも著しく広い。これは、平面アレイアンテナを採用するマルチセクタサイトにおけるセルラシステムのセクタ境界の信号対干渉パフォーマンスは、平面アレイアンテナのより広いコラム放射パターンの低下した空間フィルタリング作用に起因して、コラムが６５度の電力半値ビーム幅を生成した場合よりも悪化し得ることを意味する。
【０００７】
約６５度の電力半値ビーム幅を達成するために、従来の平面アレイアンテナは、波長の半分よりも著しく広いコラム間隔を有する必要があり、少なくともおよそ０．７波長の間隔がしばしば要求される。これは、はるかに大きい全体サイズを有するアンテナを代償にして所望の６５度の電力半値ビーム幅を得ることを意味し、その幅は約２波長から３波長に増加し、５０％の増加である。
【０００８】
特許文献１は、水平方向においてより狭いアンテナビームを得るために、水平面に対して横方向に傾斜したコラムアンテナを備えるアレイアンテナを開示する。
【０００９】
しかしながら、特許文献１に係るアレイアンテナは垂直方向に非対称であり、同じビームが、観察される仰角に依存して異なる方位断面について、異なる方位指示方向を有する。さらに、特許文献１によって説明されるアレイアンテナは、傾斜の作用として方位ビーム幅が低減される場合でも、アンテナゲインが増加しない。方位ビーム幅も比較的大きい。
【００１０】
従って、従来の解決法の欠点なしに、各個別のコラムからの放射パターンの電力半値ビーム幅が低減されるアレイアンテナへの需要がある。
【先行技術文献】
【特許文献】
【００１１】
【特許文献１】国際公開第０２３７６１０号
【発明の概要】
【発明が解決しようとする課題】
【００１２】
本発明の目的は、従来の解決法の欠点なしに、各個別のコラムからの放射パターンの電力半値ビーム幅が低減されるアレイアンテナを提供することである。
【課題を解決するための手段】
【００１３】
上記課題は、少なくとも１つのアンテナ構成を備える、無線通信システムにおけるノードによって達成される。アンテナ構成は、少なくとも第１のアンテナ部と第２のアンテナ部とを備え、各アンテナ部は長手方向の延伸部を有し、当該延伸部に沿って対応するコラム軸が延伸する。コラム軸は各アンテナ部を２つの長手方向のサブ部分に分割し、各アンテナ部は、コラム軸に沿って分配される少なくとも３つのアンテナ要素をさらに備え、対応するアンテナポート構成に接続される。各アンテナ部について、上記アンテナ要素の少なくとも１つは上記コラム軸上に位置し、上記アンテナ要素の少なくとも１つは上記コラム軸から離れて位置する。このようにして、各アンテナ部のアンテナ要素はコラム軸に直交する方向においても分配される。
【００１４】
１つの例によれば、アンテナ要素はデュアル偏波される（dual  polarized）。
【００１５】
別の例によれば、各アンテナ部は、同じ数のアンテナ要素を備える。
【００１６】
別の例によれば、上記コラム軸から離れて位置する各アンテナ要素について、当該離れた位置は、コラム軸からのある距離に対応し、当該ある距離の各々は、任意の他のある距離と等しいか又は異なる。
【００１７】
別の例によれば、アンテナ要素は、各コラム軸に沿って等距離に位置する。
【００１８】
別の例によれば、アンテナ部ごとのアンテナ要素の数は等しい。
【００１９】
他の例は、従属項から明らかである。
【００２０】
多くの利点が本発明によって提供される。主に、比較的少ないパラメータを変化させることによって、サイズ及び他の放射パターン特性に影響を及ぼすことなく、低減された方位電力半値ビーム幅が得られる。
【図面の簡単な説明】
【００２１】
本発明は、添付の図面を参照しつつ、より詳細に説明されるであろう。
【図１】無線通信システムにおけるノードを示す。
【図２】本発明の第１の例に係るアンテナ構成を示す。
【図３】本発明の第２の例に係るアンテナ構成を示す。
【図４】本発明の第３の例に係るアンテナ構成を示す。
【図５】本発明の第４の例に係るアンテナ構成を示す。
【発明を実施するための形態】
【００２２】
図１を参照すると、アンテナ構成２を備える、無線通信システムにおけるノード１がある。
【００２３】
図２を参照すると、第１の例を示しており、アンテナ構成２は、第１のアンテナ部３と、第２のアンテナ部４と、第３のアンテナ部５とを備え、各アンテナ部３、４、５は、長手方向の延伸部を有し、当該延伸部に沿って、対応する第１のコラム軸６、第２のコラム軸７、及び第３のコラム軸８が延伸する。第１のアンテナ部３は、特別に点線で示されている。これは、第１のアンテナ部を用いて本発明を説明するためである。ただし、当然ながら、本発明は全てのアンテナ部３、４、５に適用され、これは以下の例にも同様に当てはまるであろう。
【００２４】
各コラム軸６、７、８は、各アンテナ部３、４、５を２つの長手方向のサブ部分に分割する。これは、各コラム軸６、７、８が各アンテナ部内のどこか、即ち、各アンテナ部３、４、５が長手方向に２つの部分、つまり上記２つのサブ部分に分割されるような位置に置かれることを意味する。
【００２５】
第１のアンテナ部３は、第１のアンテナ要素９と、第２のアンテナ要素１０と、第３のアンテナ要素１１と、第４のアンテナ要素１２と、第５のアンテナ要素１３と、第６のアンテナ要素１４とを備え、これらのアンテナ要素は第１のコラム軸６に沿って分配される（distributed）。
【００２６】
アンテナ要素９、１０、１１、１２、１３、１４は、対応するアンテナポート構成１５に給電ネットワークを介して接続される。アンテナ要素９、１０、１１、１２、１３、１４は、本例において、及び以下の例においても、コラム軸６、７、８に対して±４５°の極性を有するデュアル偏波されたアンテナ要素として概略的に示される。
【００２７】
第２のアンテナ部４及び第３のアンテナ部５は、対応するコラム軸７、８に沿って対応するコンフィグレーションを有する対応するアンテナ要素を備える。これらのアンテナ要素は、明確さのために図２に特に示されていない。これは以下の例にも同様に当てはまるであろう。第２のアンテナ部４及び第３のアンテナ部５のアンテナ要素は、第１のアンテナ部３のアンテナ要素９、１０、１１、１２、１３、１４と同じように、対応するアンテナポート構成１６、１７に接続される。
【００２８】
本発明によれば、第１のアンテナ部３について、第２のアンテナ要素１０、第４のアンテナ要素１２、及び第６のアンテナ要素が、第１のコラム軸６上に位置し、第１のアンテナ要素９、第３のアンテナ要素１１、及び第５のアンテナ要素１３は、第１のコラム軸６からある距離ｄｙだけ離れて位置する。同じコンフィグレーションは、第２のアンテナ部４及び第３のアンテナ部５について適用される。
【００２９】
概して、本例は、各アンテナ部３、４、５コラム内の１つおきの要素をそれぞれのコラム軸６、７、８から上記ある距離ｄｙだけ系統的にオフセットさせ、同じオフセットｄｙは、全てのアンテナ部３、４、５における対応する要素に適用され、全てのアンテナ部３、４、５は、同じ数の要素を有することに基づく。このように、各アンテナ部３、４、５のアンテナ要素は、それぞれのコラム軸６、７、８に直交する方向において分配される。
【００３０】
本発明に係る第２の例は、図３に示される。第１の例と同じように、アンテナ構成２’があり、当該アンテナ構成２’は、第１のアンテナ部３’と、第２のアンテナ部４’と、第３のアンテナ部５’とを備え、各アンテナ部３’、４’、５’は、長手方向の延伸部を有し、当該延伸部に沿って、対応する第１、第２及び第３のコラム軸６’、７’、８’が延伸する。
【００３１】
第１のアンテナ部３’は、第１のアンテナ要素９’と、第２のアンテナ要素１０’と、第３のアンテナ要素１１’と、第４のアンテナ要素１２’と、第５のアンテナ要素１３’と、第６のアンテナ要素１４’と備え、これらのアンテナ要素は第１のコラム軸６’に沿って分配される。
【００３２】
第１の例と同じように、第２のアンテナ部４’及び第３のアンテナ部５’は、対応するコラム軸７’、８’に沿って対応するコンフィグレーションを有する対応するアンテナ要素を備える。
【００３３】
全てのアンテナ要素は、対応するアンテナポート構成１５’、１６’、１７’に給電ネットワークを介して接続される。
【００３４】
本発明によれば、この第２の例において、第２のアンテナ要素１０’及び第６のアンテナ要素１４’は第１のコラム軸６’上に位置し、その他のアンテナ要素の各々は、第１のコラム軸６’から要素固有の（element-specific）ある距離ｄｙｎだけ離れて位置する。本例において、第３のアンテナ要素１１’は、第１のコラム軸６’からある距離ｄｙ’だけ離れて位置する。同じコンフィグレーションは、第２のアンテナ部４’及び第３のアンテナ部５’について適用される。
【００３５】
概して、本例は、各アンテナ部においてｎ個のアンテナ要素を有するアンテナ構成を有し、あるアンテナ部内の各要素ｎがそれぞれのコラム軸から要素固有の距離ｄｙｎだけオフセットされ、同じオフセットは全てのアンテナ部における対応する要素に適用され、全てのアンテナ部は同じ数の要素を有することに基づく。全てではないが、少なくとも１つのアンテナ要素は、それぞれのコラム軸６’、７’、８’上に置かれる。これは、これらのアンテナ要素について、オフセットｄｙｎがゼロに等しいことを意味する。このように、各アンテナ部３’、４’、５’のアンテナ要素は、それぞれのコラム軸６’、７’、８’に直交する方向において分配される。
【００３６】
本発明に係る第３の例は、図４に示される。第１及び第２の例と同じように、アンテナ構成２’’があり、当該アンテナ構成２’’は、第１のアンテナ部３’’と、第２のアンテナ部４’’と、第３のアンテナ部５’’とを備え、各アンテナ部３’’、４’’、５’’は、長手方向の延伸部を有し、当該延伸部に沿って第１、第２及び第３のコラム軸６’’、７’’、８’’が延伸する。
【００３７】
第１のアンテナ部３’’は、第１のアンテナ要素９’’と、第２のアンテナ要素１０’’と、第３のアンテナ要素１１’’と、第４のアンテナ要素１２’’と、第５のアンテナ要素１３’’と、第６のアンテナ要素１４’’とを備え、これらのアンテナ要素は第１のコラム軸６’’に沿って分配される。
【００３８】
第１及び第２の例と同じように、第２のアンテナ部４’’及び第３のアンテナ部５’’は、対応するコラム軸７’’、８’’に沿って対応するコンフィグレーションを有する対応するアンテナ要素を備える。
【００３９】
全てのアンテナ要素は、対応するアンテナポート構成１５’’、１６’’、１７’’に給電ネットワークを介して接続される。
【００４０】
本発明によれば、この第３の例において、第２のアンテナ要素１０’’は第１のコラム軸６’’上に位置し、その他のアンテナ要素の各々は第１のコラム軸６’’から要素固有のある距離ｄｙｎｍだけ離れて位置する。本例において、第１のアンテナ要素９’’は、第１のコラム軸６’’からある距離ｄｙ’’だけ離れて位置する。ただし、図４から明らかなように、下記に従った一般的なコンフィグレーションの範囲内で、特定のコンフィグレーションはアンテナ部３’’、４’’、５’’間で異なる。
【００４１】
概して、本例は、アンテナ部ｍにおける各要素ｎをそれぞれのコラム軸から要素固有及びコラム固有の距離ｄｙｎｍだけオフセットさせ、全てのアンテナ部が同じ数の要素を有することに基づく。各アンテナ部について、全てではないが、少なくとも１つのアンテナ要素は、それぞれのコラム軸６’’、７’’、８’’上に位置する。これは、これらのアンテナ要素について、オフセットｄｙｎｍがゼロに等しいことを意味する。このように、各アンテナ部３’’、４’’、５’’のアンテナ要素は、それぞれのコラム軸６’’、７’’、８’’に直交する方向に分配される。
【００４２】
本発明に係る第４の例は、図５に示される。第１、第２及び第３の例と同じように、アンテナ構成２’’’があり、当該アンテナ構成２’’’は、第１のアンテナ部３’’’と、第２のアンテナ部４’’’と、第３のアンテナ部５’’’とを備え、各アンテナ部３’’’、４’’’、５’’’は、長手方向の延伸部を有し、当該延伸部に沿って第１、第２及び第３のコラム軸６’’’、７’’’、８’’’が延伸する。
【００４３】
第１のアンテナ部３’’’は、第１のアンテナ要素９’’’と、第２のアンテナ要素１０’’’と、第３のアンテナ要素１１’’’と、第４のアンテナ要素１２’’’とを備え、これらのアンテナ要素は第１のコラム軸６’’’に沿って分配される。
【００４４】
第２のアンテナ部４’’’及び第３のアンテナ部５’’’も、対応するコラム軸７’’’、８’’’に沿ってアンテナ要素を備える。ただし、第２のアンテナ部４’’’及び第３のアンテナ部５’’’の各々におけるアンテナ要素の数は６であり、これは第１のアンテナ部３’’’におけるアンテナ要素の数とは異なる。
【００４５】
全てのアンテナ要素は、対応するアンテナポート構成１５’’’、１６’’’、１７’’’に給電ネットワークを介して接続される。
【００４６】
本発明によれば、この第４の例において、第１のアンテナ要素９’’’は第１のコラム軸６’’’上に位置し、その他のアンテナ要素の各々は、第１のコラム軸６’’’から要素固有のある距離ｄｙｎｍだけ離れて位置する。本例において、第２のアンテナ要素１０’’’は、第１のコラム軸６’’’からある距離ｄｙ’’’だけ離れて位置する。ただし、図５から明らかなように、下記に従った一般的なコンフィグレーションの範囲内で、特定のコンフィグレーションはアンテナ部３’、４’、５’間で異なる。さらに、アンテナ要素の数はアンテナ部３’’’、４’’’、５’’’について異なり、本例において、第１のアンテナ部は、４つのアンテナ要素を備え、その他のアンテナ部４’’’、５’’’は、それぞれ６つのアンテナ要素を備える。
【００４７】
概して、本例は、第３の例のように、アンテナ部ｍにおける各要素ｎをそれぞれのコラム軸から要素固有及びコラム固有の距離ｄｙｎｍだけオフセットさせ、少なくとも１つのアンテナ部がその他のアンテナ部とは異なる数のアンテナ要素を備えることに基づく。
【００４８】
コラムごとの要素の数は、全ての例において偶数又は奇数とすることができ、双方が本明細書に提示され、さもなければ当業者によって導出可能である。
【００４９】
文字ｎは概してあるアンテナ要素を示し、文字ｍは概してあるアンテナ部を示すことが理解されるべきである。
【００５０】
上記に開示されるアンテナ部は、従来技術のアンテナ構成におけるアンテナコラムに対応する。アンテナ部という用語は、アンテナ要素が伝統的なコラムにおいてではなく、本発明に従ってオフセットして分配されることを明確にするために用いられている。
【００５１】
図２に示される第１の例は、アンテナ構成の各アンテナ部内の１つおきのアンテナ要素についての単一のパラメータのオフセット値によって、低減された方位電力半値ビーム幅を提供する。単一のパラメータを用いて方位ビーム幅を制御することにより、アンテナ設計が容易になる。なぜなら、利用可能なパラメータ空間は、１次元に限定されるためである。これはアンテナ合成の期間に極めて少量のコンピュータ資源を必要とする観点から有利である。これは、周期的な、交互のオフセットにより、アンテナ構成全体にわたって再利用され得る機械的な解決法が可能になるため、ハードウェア面の利点も提供する。
【００５２】
図３に示される第２の例は、アンテナ部内のアンテナ要素ごとに１つずつである、複数のパラメータのオフセット値によって、低減された方位電力半値ビーム幅を提供する。全てのアンテナ部について等しいが、ビーム幅を制御するためにアンテナ部内において各アンテナ要素について固有である複数のパラメータを用いることにより、仰角及び方位の双方のパターン性能の指標によって影響されるべきアンテナ設計が可能になる。
【００５３】
第２の例は、比較的単純なアンテナ設計フェーズも可能にする。なぜなら、利用可能なパラメータ空間の次元は、アンテナ部ごとのアンテナ要素の数によって限定されるからである。これは、アンテナ合成の期間に少量のコンピュータ資源を必要とする観点から有利である。これは、ある列における全ての要素の系統的なオフセットがアンテナ構成全体にわたって再利用され得るため、ハードウェア面の利点も提供する。なお、アンテナ部内の要素間隔、即ち、それぞれ第１、第２、及び第３のコラム軸６’、７’、８’に沿った要素間隔は均一である必要はない。
【００５４】
図４に示される第３の例は、アンテナ構成の各コラム内の要素ごとに１つずつである、複数のパラメータのオフセット値によって、低減された方位電力半値ビーム幅を提供する。ビーム幅を制御するためにアンテナ構成における要素の総数と等しく又はそのかなりの割合を占める数のパラメータを用いることにより、第２の例のように、仰角及び方位の双方のパターン性能の指標によって、並びに、アンテナ構成における特定の要素位置によって影響されるべき設計が可能になる。後者は、アンテナ設計者が、プロセスにおいてオフセット値を用いて相互結合作用を考慮し及び補償することを可能にするため重要である。
【００５５】
図５に示される第４の例は、利点及び複雑さにおいて第３の例に対応し、アンテナ部ごとに不均一な数のアンテナ要素を備える付加的な可能性を有する。
【００５６】
本発明は、上記に従った例に限定されず、添付の特許請求の範囲内で自由に変更され得る。例えば、アンテナ要素はシングル偏波され（single  polarized）てもよく、パッチ又はダイポールといった任意の適当な設計であってよい。
【００５７】
アンテナ構成は、好適には、平面アレイアンテナの形式である。
【００５８】
示された例は、本発明が適用され得る様々な一般的なコンフィグレーションの例に過ぎない。示された例は組み合わされてもよい。例えば、第１の例について、アンテナ要素の数は、アンテナ部間で異なってもよい。
【００５９】
図５に示される第４の例は、アンテナ部ごとに不均一な数のアンテナ要素を有するだけでなく、極性ごとに不均一な数のアンテナ要素を有すること、又は双方の組み合わせの可能性も付加する。
【００６０】
各アンテナ部におけるアンテナ要素は、対応するコラム軸に沿って同じ距離だけ隔てられ得るが、対応するコラム軸に沿って異なる距離だけ隔てられてもよい。アンテナ部におけるアンテナ要素は、そのコラム軸に沿って等距離で位置しても、又は、そのコラム軸に沿って非等距離で位置してもよい。
【００６１】
全ての例について、及び本発明について一般に、各ノードは少なくとも１つのアンテナ構成２を備え、各アンテナ構成２は少なくとも２つのアンテナ要素３、４を備える。各アンテナ部３、４、５は、少なくとも３つのアンテナ要素を備える。全ての例について、あるアンテナ部について、少なくとも１つのアンテナ要素がコラム軸６、７、８上に位置し、少なくとも１つのアンテナ要素が当該コラム軸６、７、８から離れて位置する。
【００６２】
議論された例において、少なくとも１つのアンテナ要素は、コラム軸からある距離ｄｙ、ｄｙ’、ｄｙ’’、ｄｙ’’’だけ離れて位置する。参照符号ｄｙ、ｄｙ’、ｄｙ’’、ｄｙ’’’は、可能な場合、概して任意のアンテナ要素が位置するコラム軸からの距離に関連し得ることが理解されるべきである。
【図１】
0005647334.tif 000002
【図２】
0005647334.tif 000003
【図３】
0005647334.tif 000004
【図４】
0005647334.tif 000005
【図５】
0005647334.tif 000006